(57)【要約】【課題】柱上用機器のケース内に雨水が溜まっているか否かを容易に確認できるようにする。【解決手段】柱上用機器のケースの底板７に、ケース内に連通する収納部１０を設けるとともに該収納部１０の下側に表示窓１４を設け、前記収納部１０内には、上側に位置して設けられ下面が反射面に形成された反射板１８と、下側に位置して前記反射板１８と所定の空間２１を有して対向配置した透明材料の指示板２０とからなる表示器１５を収納する。前記空間２１内にケース内の水が浸入するようにして、空間２１内への水の浸入状態と非浸入状態とでは前記表示窓１４から見える色が変化するようにする。【選択図】        図４
2005026043.tif 000002
【特許請求の範囲】
【請求項１】
柱上用機器のケースの底板に、ケース内に連通する収納部を設けるとともに該収納部の下側に表示窓を設け、前記収納部内には、上側に位置して設けられ下面が反射面に形成された反射板と、下側に位置して前記反射板と所定の空間を有して対向配置した透明材料の指示板とからなる表示器を収納し、前記空間内にケース内の水が浸入するようにして、空間内への水の浸入状態と非浸入状態とでは前記表示窓から見える色が変化するようにしたことを特徴とする浸水表示器付柱上用機器。
【請求項２】
前記反射板と指示板とを、これらの外周に設けた環状の取付部材で固定して表示器をユニット化した請求項１記載の浸水表示器付柱上用機器。
【請求項３】
前記反射板における指示板と対向する面に蛍光部材を設けた請求項１又は２記載の浸水表示器付柱上用機器。
【請求項４】
前記指示板における前記反射板と対向する反対面を、略４５度の傾斜面を有する凹凸面或いはプリズム状の面に形成した請求項１乃至３のいずれかに記載の浸水表示器付柱上用機器。
【請求項５】
前記表示器を、前記ケース内の圧力が所定以上の高圧になった場合に、その高圧によりケース外へ離脱するように備えた請求項１乃至４のいずれかに記載の浸水表示器付柱上用機器。
【発明の詳細な説明】
【０００１】
【発明の属する技術分野】
本発明は、電柱等の柱上に設置されているケース入り柱上開閉器などの柱上用機器において、そのケース内部に雨水等が浸入した場合に、その浸入したことを表示する浸水表示器付柱上用機器に関する。
【０００２】
【従来の技術】
高圧配電線路には、例えば電柱等の柱上に電路を切り分けるための開閉機構部をパッキン等により密閉されたケース内部に収納させた柱上開閉器が設けられている。
【０００３】
このケースは長期間の屋外放置によって、パッキン部分の劣化或いはケースの腐蝕による孔の発生等により、気密状態が保持できなくなり、ケース内部に雨水等が浸入して、内部に雨水が溜まることがある。
【０００４】
この内部に溜まった雨水の水位が開閉機構部の可動電極部又は固定電極部まで上昇すると、開閉器内部で地絡事故或いは短絡事故を発生し、停電等のトラブルを引き起こすことになる。
【０００５】
そのため、従来、電力機器内に浸入した水を溜める水受け室を設け、該水受け室に水が入ってきたときに移動する球状のフロートを設け、このフロートの移動を目視により検知して浸水を知るようにしたものが知られている（例えば特許文献１）。
【０００６】
【特許文献１】
実開平３−１０６６４６号公報（第１頁、図１、図２）
【０００７】
【発明が解決しようとする課題】
前記従来の技術においては、小さい球状のフロートを移動させる構造によって浸水表示部が形成されているため、その浸水表示部が小さく、地上からその表示が見えにくく、浸水の有無の確認が困難な問題がある。
【０００８】
そこで本発明は、柱上用機器におけるケース内の浸水を地上から目視によって容易に知ることができるようにするとともに、また、夜間においても浸水を容易にすることができ、更に、浸水表示部のコストも安価な浸水表示器付柱上用機器を提供することを目的とするものである。
【０００９】
【課題を解決するための手段】
前記の課題を解決するために、請求項１記載の発明は、柱上用機器のケースの底板に、ケース内に連通する収納部を設けるとともに該収納部の下側に表示窓を設け、前記収納部内には、上側に位置して設けられ下面が反射面に形成された反射板と、下側に位置して前記反射板と所定の空間を有して対向配置した透明材料の指示板とからなる表示器を収納し、前記空間内にケース内の水が浸入するようにして、空間内への水の浸入状態と非浸入状態とでは前記表示窓から見える色が変化するようにしたことを特徴とするものである。
【００１０】
請求項２記載の発明は、前記請求項１記載の発明において、前記反射板と指示板とを、これらの外周に設けた環状の取付部材で固定して表示器をユニット化したものである。
【００１１】
請求項３記載の発明は、前記請求項１又は２記載の発明において、前記反射板における指示板と対向する面に蛍光部材を設けたものである。
【００１２】
請求項４記載の発明は、前記請求項１乃至３のいずれかに記載の発明において、前記指示板における前記反射板と対向する反対面を、略４５度の傾斜面を有する凹凸面或いはプリズム状の面に形成したものである。
【００１３】
請求項５記載の発明は、前記請求項１乃至４のいずれかに記載の発明において、前記表示器を、前記ケース内の圧力が所定以上の高圧になった場合に、その高圧によりケース外へ離脱するように備えたものである。
【００１４】
【発明の実施の形態】
本発明の好ましい実施の形態を、図に示す柱上開閉器に適用した実施例に基づいて説明する。
【００１５】
図１乃至図１０は第１実施例を示す。
図１は本発明の浸水表示器付柱上用機器の正面図で、開閉器１のケース２の内部には、電路３，４を切り分けるための開閉機構部（図示せず）が収納されている。５，６はブッシングを示す。
【００１６】
前記ケース２の底板７には、該底板７の下側へ突出した状態で浸水表示部８が設けられ、該浸水表示部８内に後述する表示器１５が収納設置されている。
【００１７】
前記浸水表示部８と表示器１５について図２乃至図１０により詳述する。
図２は浸水表示部８における表示器を収納しない状態の収納部１０を示す正断面図で、前記ケース２の底板７に円形の穴７ａが形成され該穴７ａに環状の収納部１０が嵌合されている。該収納部１０は、その上部外周をケース２に密閉状に固定し、下部が底板７より下方に突出している。該収納部１０は金属或いは樹脂により形成され、ケース２に溶接９などにより密閉状に固定されている。更に、該収納部１０の円形内面１１には、上部に位置して環状の取付溝１２が形成され、下端に位置して内側へ突出する受部１３が形成されている。該受部１３の内側には表示窓１４が形成されている。なお、前記円形内面１１の直径は約６ｃｍに形成され、前記表示窓１４の直径は約４．５ｃｍに形成されている。
【００１８】
表示器１５は図７乃至図１０に示すようにユニット化されて形成されている。なお、図７及び図８は非浸水状態、図９及び図１０は浸水状態を示す。
【００１９】
図７乃至図１０において、表示器１５は、円板状の基板１６を有し、該基板１６の外周端には取付片１６ａが下方へ折曲して形成されている。更に基板１６の外周部には通水穴１７が、周方向に適宜間隔を有して複数形成されている。
【００２０】
更に、基板１６の下面には反射板１８がリベット１９により固設されている。該反射板１８の下面は反射面になっており、該反射面には適宜な色に着色したり、反射テープを貼ったり、蛍光部材である蛍光塗料を塗布したり、蛍光テープを貼ったりして、この反射板１８で光が反射したことが分かる色にしてある。
【００２１】
前記反射板１８の下側には指示板２０が、反射板１８との間に所定の空間２１を設けて配置されているとともに、これら反射板１８と指示板２０の相互が、これらの外周に嵌合した環状の取付部材２２によって固定されてユニット化されている。該取付部材２２は金属環で形成されている。前記基板１６の取付片１６ａと前記指示板２０間にはシール部材２３が介在され、前記空間２１内に浸入した水が表示器１５から漏れないようにしている。
【００２２】
前記取付部材２２の外周には環状の弾性体２６が嵌着されており、この弾性体２６の下側は取付部材２２の下部を取り巻き、その内側の空間によって表示窓２５が形成されている。この弾性体２６の外径は、前記収納部１０の内面１１に密着する径に設定されている。
【００２３】
前記指示板２０は透明材料、例えば透明な樹脂で形成され、その表面には凹凸の反射面２７が形成されている。該反射面２７は、実施例においては、約４５°の傾斜面を有する凸条と凹条を並行に設けて形成されている。この反射面２７は、空間２１内に水が溜まった状態では、下方からの光を上方へ透過し、空間２１内に水がない場合には、下方からの光が傾斜面によって下方へ反射するような面であれば良く、前記の形状以外にプリズム状であってもよい。
【００２４】
そして、前記のユニット化された表示器１５を、前記収納部１０に上方から図３に示すように略水平状態に嵌入する。このとき、表示器１５の弾性体２６の外面が収納部１０の内面１１に密着する。
【００２５】
次に、収納部１０における取付溝１２に、図５及び図６に示すようなＣリング２８を図４に示すように嵌着して、表示器１５を収納部１０に収納固定する。このとき、表示器１５が収納部１０の受部１３に押圧される状態でＣリング２８を嵌着するようになっており、表示器１５がガタつきのないように収納部１０に取り付けられる。なお、このＣリング２８は取付部材であるが、このＣリング以外の取付部材によって表示器１５を取り付けるようにしてもよい。
【００２６】
以上のように組み立てられた開閉器を柱上に設置した状態において、ケース２内の底板７上に雨水等の水が溜まっていない状態では、表示器１５の空間２１に空気などの気体が存在し、表示窓１４から入射した光は指示板２０の反射面２７によって下方へ反射する。そのため、地上から指示板２０を見た場合には、指示板２０が白く見え、浸水していないことが確認できる。
【００２７】
また、ケース２内の底板７上に雨水等の水が溜まった場合には、その水Ｗは、表示器１５の通水穴１７を通じて空間２１内に入り、図９に示すように、指示板２０の反射面２７上に溜まる。そのため、表示窓１４から入射した光は指示板２０の反射面２７で反射することなく上方へ透過し、反射板１８で反射して表示窓１４から地表側へ戻る。これにより、地上から指示板２０を見た場合には、指示板２０を通じて反射板１８の着色された色が見え、浸水していることが確認できる。また、反射板１８に蛍光部材を設けることにより、夜間の暗い場合でも浸水していることが判別できる。
【００２８】
また、指示板２０及び表示窓１４の直径を大きくすることができるため、この浸水表示部８を大きくして、地上からの確認を容易にすることができる。
【００２９】
図１１は第２実施例を示す。
本第２実施例は、前記第１実施例における表示器１５を有底状の支持ケース３０に収納し、該支持ケース３０を、前記第１実施例の収納部１０と同様の収納部１０内にねじ３１により螺装したものである。支持ケース３０は、その無孔状の底板とともに透明な樹脂により形成され、その底板が表示窓３２となっている。この支持ケース３０に表示器１５を嵌入し、前記と同様に支持ケース３０に取付溝１２を形成して、これにＣリング２８を嵌着して表示器１５を支持ケース３０に固定している。支持ケース３０とケース２との間にはＯリングなどによるシール部材３３が介在されている。
【００３０】
その他の構造は前記第１実施例と同様であるため、前記と同一部分には前記と同一符号を付してその説明を省略する。
【００３１】
本第２実施例においては、前記第１実施例と同様の作用、効果を発揮する上に、表示器１５から漏水しても、支持ケース３０により器外への漏水を防止できる。
【００３２】
図１２は第３実施例を示す。
本第３実施例は、前記第２実施例における支持ケース３０の表示窓３２を、下方に膨出させた凸レンズ状にしたものである。その他の構造は前記第２実施例と同様であるため、前記と同一部分には前記と同一の符号を付してその説明を省略する。
【００３３】
本第３実施例においても前記第１実施例と同様の作用、効果を発揮できる上に、表示窓３２の凸レンズによって浸水の有無の確認を一層容易にすることができる。
【００３４】
図１３乃至図１５は第４実施例を示す。
本第４実施例は、前記第１実施例の構造において、ケース２内の圧力が異常に上昇した場合に、表示器１５がケース２から離脱してケース内の上昇圧力を放出させるようにしたものである。
【００３５】
すなわち、前記第１実施例における収納部１０の受部１３を排し、その代わりに表示器１５を保持する保持板４０を設けている。この保持板４０は図１４に示すように前記収納部１０の下面と前記表示器１５の下面外周部、すなわち前記弾性体２６の下面に位置する環状の下辺部４１と、該下辺部４１の４方に突出した腕４２〜４５とからなり、その３方の腕４２〜４４には、外端側が開口するスリット４６を形成し、残りの腕４５には長穴４７を形成している。そして、４方の腕４２〜４５を、そのスリット４６及び長穴４７を通じてボルト４８及びナット４９でケース２の底板７に取り付けて、下辺部４１により表示器１５を支持している。
【００３６】
また、前記表示器１５のリベット１９にはチェーン５０の一端が連結され、該チェーン５０の他端が止金５１によりケース２における底板７の内側面に固着されている。
【００３７】
その他の構造は前記第１実施例と同様であるため、前記と同一部分には前記と同一の符号を付してその説明は省略する。
【００３８】
本第４実施例において、開閉器１のケース２内の圧力が異常に上昇した場合には、その圧力が表示器１５の上面に作用して表示器１５が下方へ押圧され、保持板４０の下辺部４１が大きな荷重によって下方へ押される。これにより、腕４２〜４４が変形してボルト４８から外れるとともに腕４５も図１５に示すように変形して、保持板４０が図１５に示すように垂れ下がり、表示器１５が収納部１０から下方へ抜け外れて離脱する。この離脱により、ケース２内の圧力は放圧される。また、外れた表示器１５はチェーン５０により地上へ落下することがないため、安全である。更に、この表示器１５の外れによってケース２内の圧力が放圧されたことを地上から知ることができる。
【００３９】
なお、本第４実施例においても、前記第１実施例と同様の作用、効果が得られる。
前記実施例は本発明を柱上開閉器に適用した例を示したが、本発明はこのような柱上開閉器以外の柱上用機器、例えば電柱上に設置して使用される自動開閉器を制御するための遠制用子局制御装置や継電器などの密閉されたケース内に収納されている機器に適用することができるものである。
【００４０】
【発明の効果】
以上のようであるから、請求項１記載の発明によれば、反射板、指示板、表示板の面積を大きくして、浸水表示部を大きくすることができるため、地上からの浸水の有無の確認を容易にすることができる。
【００４１】
請求項２記載の発明によれば、更に、表示器をユニット化したことにより、表示器を開閉器に取り付ける際における部品点数の低減と、取付作業を容易にすることができる。
【００４２】
請求項３記載の発明によれば、更に、蛍光部材によって夜間等の暗い場合においても浸水の有無の確認が容易になる。
【００４３】
請求項４記載の発明によれば、更に、表示器が浸水表示機能とケース内の圧力を放出する放圧機能を兼用するため、放圧装置を浸水表示装置とは別に設ける必要がなく、製品コストの低減を図ることができる上に、表示器がケースから離脱したか否かにより放圧動作の有無も確認できる。
【図面の簡単な説明】
【図１】本発明を柱上開閉器に適用した実施例で、浸水表示器付開閉器を示す正面図。
【図２】図１における浸水表示器部分の正断面図で、表示器が収納されていない状態の収納部を示す。
【図３】図２の状態から表示器を収納した状態の正断面図。
【図４】図３の状態からＣリングにより表示器を固定した状態の正断面図。
【図５】Ｃリングを示す平面図。
【図６】Ｃリングの断面図。
【図７】本発明における表示器の正断面図で非浸水状態を示す。
【図８】図７の底面図。
【図９】表示器の正断面図で浸水状態を示す。
【図１０】図９の底面図。
【図１１】本発明の第２実施例を示す浸水表示部の正断面図。
【図１２】本発明の第３実施例を示す浸水表示部の正断面図。
【図１３】本発明の第４実施例を示す浸水表示部の正断面図。
【図１４】図１３における保持板の平面図。
【図１５】図１３の第４実施例において、表示器が離脱した状態を示す正断面図。
【符号の説明】
１      開閉器（柱上用機器）
２      ケース
８      浸水表示部
１０    収納部
１４    表示窓
１５    表示器
１８    反射板
２０    指示板
２１    空間
２２    取付部材
２７    反射面
４０    保持板
【図１】
2005026043.tif 000003
【図２】
2005026043.tif 000004
【図３】
2005026043.tif 000005
【図４】
2005026043.tif 000006
【図５】
2005026043.tif 000007
【図６】
2005026043.tif 000008
【図７】
2005026043.tif 000009
【図８】
2005026043.tif 000010
【図９】
2005026043.tif 000011
【図１０】
2005026043.tif 000012
【図１１】
2005026043.tif 000013
【図１２】
2005026043.tif 000014
【図１３】
2005026043.tif 000015
【図１４】
2005026043.tif 000016
【図１５】
2005026043.tif 000017